(57)【要約】【課題】電解装置において、内部に設置された中継端子がスカム等によって汚れることを確実に回避する。【解決手段】電解槽では、汚水を電解するための複数の電極ユニット５１が設置される。電極ユニット５１は、電源ケーブル６２を介して、ターミナルボックス６上の中継端子６１と接続される。なお、電解槽内では、ターミナルボックス６と電極ユニット５１が収容される部分との間に、中継端子６１よりも下方から中継端子６１よりも上方まで延在する仕切り板８０が設置されている。【選択図】図５
2007152148.tif 000002
【特許請求の範囲】
【請求項１】
電極対と、
前記電極対および被処理水を収容する電解槽と、
前記電極対を電源と接続するための中継端子と、
前記電解槽の前記電極対を収容する部分と前記中継端子を仕切る板であって、前記中継端子よりも上方まで延在する仕切り板とを含む、電解装置。
【請求項２】
前記仕切り板は、前記中継端子が位置する高さよりも下方に孔を形成される、請求項１に記載の電解装置。
【請求項３】
前記電極対と前記中継端子を接続させる配線をさらに含み、
前記仕切り板は、前記配線を支持する切り欠きを形成される、請求項１に記載の電解装置。
【請求項４】
電極対と、
前記電極対および被処理水を収容する電解槽と、
前記電極対を電源と接続するための中継端子と、
前記中継端子を覆うキャップと、
前記中継端子を覆っていない状態にある前記キャップを下方から保持する保持部とを含む、電解装置。
【請求項５】
前記保持部は、前記キャップの内側の形状と同じ形状を有する外側の形状を有する、請求項４に記載の電解装置。
【請求項６】
電極対と、
前記電極対および被処理水を収容する電解槽と、
前記電極対を電源と接続するための中継端子と、
前記中継端子の上方から放水する放水部材とを含む、電解装置。
【請求項７】
前記電解槽を覆う蓋をさらに含み、
前記放水部材の少なくとも一部は、前記蓋に取付けられている、請求項６に記載の電解装置。
【請求項８】
前記電解槽内の被処理水は、浮遊物を凝集沈殿させるための沈殿槽に導入され、
前記散水部に、前記沈殿槽内の水を供給する供給部をさらに含む、請求項６または請求項７に記載の電解装置。
【請求項９】
前記散水部が散水する水に、水溶液中でナトリウムイオンまたはカルシウムイオンを供給する薬剤を添加する薬剤添加部をさらに含む、請求項６〜請求項８のいずれかに記載の電解装置。
【発明の詳細な説明】
【技術分野】
【０００１】
本発明は、電解装置に関し、特に、リンを除去する汚水処理システムにおいて利用される電解装置に関する。
【背景技術】
【０００２】
従来の汚水処理システム、特に工場排水や家庭用排水に含まれるリン化合物の除去を目的とした汚水処理システムとしては、例えば、特許文献１に記載のものがある。
【０００３】
このようなシステムでは、電極を用いた電解反応により、鉄イオンまたはアルミニウムイオン等の金属イオンを排水中に溶出させ、この金属イオンを排水中のリン酸イオンと反応させることにより不溶性の塩（例えば、ＦｅＰＯ４、Ｆｅ（ＯＨ）ｘ（ＰＯ４）ｙ）として凝集沈殿させることによってリン化合物を除去する技術が利用されている。
【０００４】
このようなシステムに用いられる電解装置を、図１４に示す。
図１４を参照して、電解装置１００は、所定の深さを持ったタンク本体１０１を備える。タンク本体１０１の少なくとも一つの側壁下方は、傾斜面部を有している。また、タンク本体１０１内には、複数の電極ユニット１５１が設置されている。なお、電極ユニット１５１は、電極対を含む。そして、タンク本体１０１には、その内部の汚水面よりも上方に、各電極ユニット１５１に対応した中継端子１６１が設置されている。各電極ユニット１５１と各中継端子１６１とは、電源ケーブル１５１で接続されている。また、タンク本体１０１の内部には、汚水の水面よりも下方に排気管（図示略）が設置され、タンク本体１０１内に空気が送り込まれている。なお、各中継端子１６１には、対応するキャップ１６１Ａが設置されている。キャップ１６１Ａは、対応する電極ユニット１５１の交換等により使用されない中継端子１６１がある場合に、当該中継端子１６１に覆うために設けられている。
【特許文献１】特開２００２−２４８４７５号公報
【発明の開示】
【発明が解決しようとする課題】
【０００５】
このような電解装置では、汚水の処理に際してスカムや汚泥が発生する。なお、電解装置において汚水の処理量が或る程度増加すると、タンク本体１０１内に排気管を介して空気が送られることにより、生じたスカムや汚泥が中継端子１６１の近傍にまで飛散すると考えられる。
【０００６】
スカムや汚泥は、中継端子１６１の近傍に飛散すると、電極ユニット１５１の交換時等に中継端子１６１に付着することにより、中継端子１６１と電極ユニット１５１の電気的な接続に対して悪影響を及ぼすと考えられる。このことは、電解装置におけるその後の電解処理において電解効率の低下等の不都合を生じると考えられる。なお、スカムや汚泥は、中継端子１６１に直接付着しなくとも、キャップ１６１Ａに付着することも考えられるため、当該キャップ１６１Ａが中継端子１６１にかぶせられた際に、結果として中継端子１６１に付着すると考えられる。
【０００７】
本発明は、かかる実情に鑑み考え出されたものであり、その目的は、汚水処理システムで利用される電解装置において、内部に設置された中継端子がスカム等によって汚れることを確実に回避することである。
【課題を解決するための手段】
【０００８】
本発明のある局面に従った電解装置は、電極対と、前記電極対および被処理水を収容する電解槽と、前記電極対を電源と接続するための中継端子と、前記電解槽の前記電極対を収容する部分と前記中継端子を仕切る板であって、前記中継端子よりも上方まで延在する仕切り板とを含むことを特徴とする。
【０００９】
また、本発明の電解装置では、前記仕切り板は、前記中継端子が位置する高さよりも下方に孔を形成されることが好ましい。
【００１０】
また、本発明の電解装置は、前記電極対と前記中継端子を接続させる配線をさらに含み、前記仕切り板は、前記配線を支持する切り欠きを形成されることが好ましい。
【００１１】
本発明の他の局面に従った電解装置は、電極対と、前記電極対および被処理水を収容する電解槽と、前記電極対を電源と接続するための中継端子と、前記中継端子を覆うキャップと、前記中継端子を覆っていない状態にある前記キャップを下方から保持する保持部とを含むことを特徴とする。
【００１２】
また、本発明の電解装置では、前記保持部は、前記キャップの内側の形状と同じ形状を有する外側の形状を有することが好ましい。
【００１３】
本発明のさらに他の局面に従った電解装置は、電極対と、前記電極対および被処理水を収容する電解槽と、前記電極対を電源と接続するための中継端子と、前記中継端子の上方から放水する放水部材とを含むことを特徴とする。
【００１４】
また、本発明の電解装置は、前記電解槽を覆う蓋をさらに含み、前記放水部材の少なくとも一部は、前記蓋に取付けられていることが好ましい。
【００１５】
また、本発明の電解装置では、前記電解槽内の被処理水は、浮遊物を凝集沈殿させるための沈殿槽に導入され、前記散水部に、前記沈殿槽内の水を供給する供給部をさらに含むことが好ましい。
【００１６】
また、本発明の電解装置は、前記散水部が散水する水に、水溶液中でナトリウムイオンまたはカルシウムイオンを供給する薬剤を添加する薬剤添加部をさらに含むことが好ましい。
【発明の効果】
【００１７】
本発明によれば、電解装置において、中継端子と電解槽の電極対を収容する部分とは、仕切り板によって仕切られる。
【００１８】
これにより、電解槽内の汚水（被処理水）や当該汚水における浮遊物等が中継端子近傍に飛散してくるのを回避でき、したがって、中継端子が汚れることを確実に回避できる。
【００１９】
また、本発明によれば、電解装置において、中継端子を覆うキャップについて、それを下方から保持する保持部が設けられる。
【００２０】
これにより、キャップは、中継端子に被せられていないときでも、保持部に保持されることにより、中継端子に接する面を汚水における浮遊物等によって汚されなくなる。したがって、中継端子が電極対と接続されないときにキャップを被されても、中継端子がキャップによって汚されることを回避できる。
【００２１】
また、本発明によれば、電解装置において、中継端子の上方からの放水が可能となる。
これにより、中継端子が汚された場合でも、放水により中継端子を洗浄できる。したがって、中継端子が汚れた状態で放置されることを回避できる。
【発明を実施するための最良の形態】
【００２２】
［第１の実施の形態］
以下、本発明の第１の実施の形態の電解装置について説明する。
【００２３】
図１は、本実施の形態の電解装置に含まれる電解槽およびブロワの外観の平面図であり、図２は、図１の電解槽の上蓋を取外した状態における平面図であり、図３は、図１の電解槽の上蓋および電極ユニットを取外した状態における平面図であり、図４は、図１におけるＩＶ−ＩＶ断面図であり、そして、図５は、図１の電解槽の上蓋を取外した状態における斜視図である。
【００２４】
図１〜図５を参照して、本実施の形態の電解槽は、所定の深さを有するタンク本体１を含む。タンク本体１は、その平面形状が略長方形であり、箱型の容器である。また、当該電解槽は、所定の高さを持ちタンク本体１上に設置された中蓋３を含む。中蓋３には、電極ユニットサービス口３１が２箇所設けられている。そして、電解槽は、各電極ユニットサービス口３１を閉塞するための２個の上蓋４をさらに含む。本実施の形態の電解槽の外郭は、タンク本体１、中蓋３、および、上蓋４より構成される。
【００２５】
中蓋３の上部には、電極ユニット５１を収容するための凹部３３が形成されている。また、中蓋３における、上蓋４と当接する部分は、電極ユニット５１を装着するための開口部３２の外縁となっている。この各凹部３３から電極ユニット５１の電極板５１ａの平面形状における長手方向（以下単に電極板５１ａの長手方向という）がタンク本体１の長辺と同一の方向であって、この電極板５１ａの長手方向と直交する方向に一定の間隔を置いて列をなすように電極ユニット５１が挿入され、電極ユニット列５を構成している。
【００２６】
電極ユニット５１は、長方形の鉄製の板状平板電極（電極板５１ａ）を２枚一組としたものである。２枚の電極板５１ａは、上部のホルダ５１ｂによって、所定の間隔に保持される。電極板５１ａは、たとえば鉄またはアルミニウム等の、電解により溶出する金属を含む板体からなる。ホルダ５１ｂの上面には、電源ケーブルを接続するための端子５１ｃが設けられている。ホルダ５１ｂ内では、端子５１ｃと電極板５１ａとが結線されている。上記したように、電極ユニット５１は、電極板５１ａの長手方向が電解槽の長手方向となるように、そして、電極板５１ａの長手方向と直交する方向に他の電極ユニット５１と隣接するように、配置されている。ホルダ５１ｂは、電極板５１ａの幅（長手方向の寸法）よりも大きな幅を有している。図示を省略したが、ホルダ５１ｂの電極板５１ａからはみ出した両部分には、それぞれ、中蓋３の開口部３２の周辺に配置されたピンと係合するピン穴が、設けられている。また、ホルダ５１ｂの上面部には取っ手５１ｄが設けられている（特に、図４参照）。
【００２７】
電極ユニット５１は、一方の電極板５１ａがアノード電極となり、他方がカソード電極となるように、電力を供給される。なお、電極ユニット５１内の２枚の電極板５１ａの極性は、所定時間ごと等で反転されることが好ましい。極性を反転することにより、両方の電極の溶出量を均等にすることができ、また、電極板５１ａの表面における鉄等の電極材料の不動態が付着することを回避できる。
【００２８】
また、タンク本体１の短辺をなす側壁の上部には、汚水流出口１１が設けられている。また、汚水流出口１１が設けられた側壁と対向する側壁近傍の、中蓋３の上面部には、上方から下方に向けて、電解槽内に汚水を流入させるための、汚水流入口３５が設けられている。
【００２９】
次に、上記した電解槽の各部についてより具体的に説明する。
タンク本体１は、汚水を収容し、かつ、電極から汚水中に金属イオン（鉄イオンまたはアルミニウムイオン等）を溶出させるために利用される。タンク本体１は、このような利用に際して必要な高さおよび容積を有している。
【００３０】
タンク本体１の短辺を成す一側壁の上部に、前述のように汚水流出口１１として配管が水平方向に導出するように設けられている。なお、この汚水流出口１１にはパッキン１１ａが設けられている。この側壁の汚水流出口１１の下方部は、底部がタンク本体１の中央側に位置するように傾斜する傾斜面部１２として構成されている。また、この傾斜面部１２に対向する側壁にも、傾斜面部１２と対称的な形状をなすように傾斜面部１３が形成されている。これら傾斜面部１２，１３は、電解槽内に汚水の対流を発生させるように、電極ユニット列５の下部近傍位置に形成される。また、これら傾斜面部１２，１３の頂部には外方向に張り出す棚部１４，１５が形成され、この棚部１４，１５の下面がこの電解槽を据え付ける場合の固定面として機能している。なお、汚水流入口側の棚部１５は、電解槽に流入する汚水分散面として機能するように、汚水流出口側の棚部１４よりも大きな面積とされている。電解槽では、棚部１５の上方部が、汚水流入口３５からの汚水を受け入れるスペースとされている。
【００３１】
また、タンク本体１の底面では、電極ユニット列５の中間部に、傾斜面部１２，１３と同様の傾斜角度を備えた滑らかな山型部分１６が形成されている。さらに、この山型部分１６と傾斜面部１２，１３とで挟まれるスペースの中央部は、電極ユニット列５の中央となるように構成され、この部分に汚泥排出口１７が設けられている。この汚泥排出口１７は、ゴム栓１７ａによって閉塞されている。また、汚泥排出口１７の外面側には、配管継ぎ手１７ｂが、図示せぬパッキンを介して、ボルト１７ｃおよびナット１７ｄにより取付けられている。
【００３２】
また、タンク本体１の底面では、この汚泥排出口１７を挟むように、散気管固定用のリブ１９が設けられている。なお、リブ１９は、各電極ユニット５に対して２箇所、つまり、合計８箇所、設けられている。リブ１９は、散気管２５を底面から少し浮かせた状態で固定するように、その上端に散気管２５を嵌め込むための切り欠き１９ａを形成されている。さらに、タンク本体１の底面には、４箇所に支持脚２２が形成されている。電解槽は、この４個の支持脚２２を利用して、裁置することも可能である。また、タンク本体１の上端縁部には、フランジ部２３が形成され、さらに、その端縁部の強度を向上させるために、下向きのリブ２４が形成されている。
【００３３】
中蓋３には、図４から特に理解されるように、ターミナルボックス６が設置されている。ターミナルボックス６は、汚水の水面Ｗよりも上方に設置されている。図６に、ターミナルボックス６近傍の拡大図を示す。なお、電解槽内には４個のターミナルボックス６が配置されており、図６では、その中の１つが示されている。
【００３４】
図６をさらに参照して、ターミナルボックス６上には、４個の中継端子６１が設置され、さらに、各中継端子６１のキャップ６１０が取付けられている。キャップ６１０は、電極ユニット５１の清掃または電極ユニット５１における電極板５１ａの交換等のときに、中継端子６１を覆うために備えられている。そして、ターミナルボックス６と凹部３３（電極ユニット５１が収容される部分）との間には、中継端子６１よりも下方から中継端子６１よりも上方まで延在する仕切り板８０が設置されている。
【００３５】
また、汚水流入口３５から、この汚水流入口３５に対向する側壁（図４では左側の側面）にかけての部分には、凹部３３が二つ形成されている。凹部３３の最下部は、タンク本体１内の汚水面Ｗよりやや上方となる位置とされている。そして、凹部３３の下端近傍には、電極ユニット挿入用の開口部３２が設けられている。
【００３６】
ターミナルボックス６の各中継端子６１は、ターミナルボックス６の内部で電源ケーブル６３と接続され、電源ケーブル６３は、電解槽外の電源に接続されている。そして、各中継端子６１と各電極ユニット５１は、電源ケーブル６２で接続される。凹部３３は、上蓋４に至るまでのスペースにおいて、ターミナルボックス６や電源ケーブル６２の配線スペースを確保するなどのために必要な高さを有している。なお、ターミナルボックス６は、中継端子６１等に電解槽内の汚水が飛散することを回避するために、電解槽において、凹部３３の中の開口部３２の近傍であって、水平断面の外縁部分に、設置されている。
【００３７】
本実施の形態の電解槽では、電極ユニット５１に電力を供給することにより、汚水に対する電解処理が行なわれる。当該電解処理では、鉄イオンやアルミニウムイオンが汚水中に溶出する。そして、電解槽では、これらの金属イオンを汚水中のリン酸イオンと反応させることにより不溶性の塩（例えば、ＦｅＰＯ４、Ｆｅ（ＯＨ）ｘ（ＰＯ４）ｙ）として凝集沈殿させる。
【００３８】
電解槽では、後述するように、底面から散気管２５により空気が供給されるため、上記の凝集物が汚水の上面に固まりとなって浮遊する場合がある。
【００３９】
そして、本実施の形態の電解槽では、仕切り板８０が設置されることにより、凹部３３内の汚水やその上面で発生した上記の浮遊物がターミナルボックス６近傍に飛散することを回避できる。
【００４０】
なお、仕切り板８０には、その上端に、各電源ケーブル６２に対応した切り欠き部８１が形成され、また、その中央より下部であって中継端子６１が設置されている高さよりも下方に、水抜き穴８２が形成されている。各電源ケーブル６２は、切り欠き部８１にはめ込まれることにより、当該切り欠き部８１に支持される。また、仕切り板８０を越える等してターミナルボックス６近傍に異物（液体および／または固体）が飛散してきた場合であっても、本実施の形態の電解槽では、当該異物を、水抜き穴８２を介して凹部３３側に排出させることができる。なお、水抜き穴８２が中継端子６１よりも下方に形成されていることにより、水抜き穴８２を介して凹部３３内の汚水や浮遊物が中継端子６１近傍に飛散することを回避できる。
【００４１】
中蓋３の端部には、フランジ部２３に当接するフランジ部３４が形成され、さらに、フランジ部３４の先端が下方に折り曲げられている（端部３４ａ）。つまり、中蓋３の端部は、タンク本体１の上端に被さるように形成されている。そして、中蓋３とタンク本体１とはこのフランジ部２３，３４においてビスによりビス止め等され固定されている。
【００４２】
電極ユニット５１同士の間には、セパレータが取付けられている。このセパレータは、絶縁材料であるプラスチックからなるものである。電解槽内では、汚水は、汚水流入口３５を介して導入され、電極ユニット５１を構成する電極板５１ａの表面を通過し、そして、汚水流出口１１から電解槽外へ排出される。
【００４３】
電解槽では、各電極ユニット列５の下方部に、２本の散気管２５が配置されている（特に、図３および図４参照）。この２本の散気管２５は、適宜連絡され、配管９１を介して外部のブロワ９０に接続され、当該ブロワ９０から空気を供給される。散気管２５には、その上面に複数の穴が形成されている。ブロワ９０から空気を供給されることにより、散気管２５は各穴から空気を放出する。これにより、電解槽内の汚水は、バブリングされる。
【００４４】
上蓋４は、作業者が電極ユニット５１の端子５１ｃ等で感電しないように保護するものであり、通常使用時には閉塞されており、たとえば電極ユニット５１の交換時に開放される。また、上蓋４は閉塞時にはビス４１により中蓋３に固定されている。そして、上蓋４の上面には２個の取っ手４２が形成されている。
【００４５】
図７（Ａ）は、電解槽の制御ブロック図であり、図７（Ｂ）は、本実施の形態の電解槽を含む汚水処理システムの構成を模式的に示す図である。図７（Ａ）には、２つの電極ユニット列５が記載されている。なお、電解槽内では、図２等に示されるように４つの電極ユニット列５が設置されており、このうちの２つが図７（Ａ）では省略されている。
【００４６】
図７（Ａ）を参照して、電解槽は、その動作を全体的に制御する制御盤８を含む。なお、電解槽は、外部のＡＣ（Alternating current）電源９から電力の供給を受ける。
【００４７】
電解槽には、蓋スイッチ７１と圧力スイッチ７５が備えられている。蓋スイッチ７１は、各上蓋４の開閉を検知するためのスイッチであり、圧力スイッチ７５は、ブロワ９０の吐出側の圧力が異常圧力となったことを検知するためのスイッチである。圧力スイッチ７５が設置されることにより、散気管２５の空気噴出口が目詰まりを起こし、ブロワ９０の吐出側の圧力が異常に上昇して汚水中に空気が供給されないような事態が生じた場合、その旨が検知される。
【００４８】
また、電解槽では、各電極ユニット５１に適宜電力が供給されて、汚水の電解が行なわれる。具体的には、電解槽では、制御盤８が、中継ターミナルボックス６を介して、各電極ユニット５１に電力を供給する。
【００４９】
なお、電解槽では、制御盤８は、いずれか一方の蓋スイッチ７１により上蓋４の開放が検知されたとき、あるいは、いずれか一方の圧力スイッチ７５の作動により散気管２５から空気が正常に供給されていないことが検知されたときには、電極ユニット５１の電源ラインをＯＦＦするように制御を行なう。
【００５０】
本実施の形態の電解槽は、用途が事業場用の排水を処理する場合には、例えば図７（Ｂ）に示されるように、活性汚泥槽２００および中間流量調整槽３００を経た汚水を導入される。図７（Ｂ）中では、電解槽は、電解槽４００として示されている。そして、このようなシステムでは、電解槽４００の後段側には、凝集沈殿槽５００が設けられる。電解槽４００内の汚水中の浮遊物は、凝集沈殿槽５００において凝集沈殿され、液体成分と分離される。
【００５１】
一方、電解槽が家庭用の合併処理浄化槽に利用される場合には、たとえば、特開平１０−１９２８６９号公報、特開平１０−２５８２８３号公報、または、特開平２０００−１８９９７７号公報に記載されているようなシステムに組み込まれて利用される。
【００５２】
以下に、事業場用の排水の処理に利用される場合の、本実施の形態の電解槽の動作を説明する。
【００５３】
事業場から排水される汚水は、まず、活性汚泥槽２００において微生物によりＢＯＤ（Biochemical Oxygen Demand）成分を分解され、中間流量調整槽３００に導入される。そして、中間流量調整槽３００を介して、一定量の汚水が電解槽４００に導入される。このとき汚水は、電解槽４００の上部からタンク本体１の棚部１５に落下して分散され、ほぼ均一な流れとなって電極ユニット５１相互間を通して汚水流出口１１へ流れる。特に、本実施の形態では、電極ユニット列５では、槽の幅方向（汚水の流れる方向と略直交する方向）の寸法を小さくするように電極板５１ａが配置されているため、槽の幅方向端部で汚水がよどむことが防止される。したがって、槽端部の電極ユニットから溶出するイオンによるリン捕捉効率が低下してリン除去効率が低下する事態を防止することができる。
【００５４】
このとき電極ユニット５１の電解作用により、陽極から２価の鉄イオンが溶出され、陰極からは水素ガスが発生する。一方、散気管２５からのばっ気により２価の鉄イオンは３価の鉄イオンに酸化される。また、この散気管２５から噴出される空気により水素ガス濃度が薄められ、爆発の危険が回避されている。３価の鉄イオンは、汚水中のオルトリン酸と反応し、難溶性のリン化合物に生成される。このリン化合物を含む汚泥は、散気管２５からのばっ気により積極的に電解槽４００内に浮遊され、汚水流出口１１から次の工程である凝集沈殿槽５００に排出される。
【００５５】
凝集沈殿槽５００では、リン化合物を含む浮遊物が沈殿除去される。
なお、散気管２５は、その内部に汚泥が侵入しないように、その下面にばっ気用の孔が形成されている。そして、電解槽４００では、散気管２５からタンク本体１の底面に向けて空気が噴出されると、泡状の気泡が上方に立ち上るとともに、タンク本体１の汚水流入側および汚水流出側の側壁に設けられた傾斜面部１２，１３の形状に基づいて効果的な対流が生じる。さらに、電解槽４００では、山型部分１６と傾斜面部１２，１３が電極ユニット列５の下部近傍に形成されていることにより、散気管２５から空気が噴出されると、汚水は散気管２５の周囲からタンク本体１の底部に向けて引き込まれ、汚水が電解槽４００内で効果的に対流を起こし、浮遊物の排出がスムーズに行なわれる。また、電極板５１ａの長手方向がタンク本体１の長手方向（電解槽４００の長手方向）と同一とされていることから、つまり、汚水が電極板の板状表面に沿って流れるとともに電解槽４００内で発生する対流も電極板５１ａの表面に沿って流れることから、電解槽４００において速やかに汚水を流すことができ、したがって、効率よくリン化合物を浮遊させることができる。また、このような対流およびばっ気により、電極板５１ａ表面の洗浄作用が得られるとともに、電極ユニット５１の電極板５１ａ間での汚泥の滞留が防止され、電極の短絡などの事故が回避される。
【００５６】
以上説明した本実施の形態では、仕切り板８０が設置されることによって、中継端子６１やキャップ６１ａが電解槽内の浮遊物等によって汚れることを回避できる。
【００５７】
なお、中継端子６は、電源ケーブル６２と接続されている場合には当該電源ケーブル６２によって保護され、また、（対応する電極ユニット５１の交換時等において）電源ケーブル６２と接続されていない場合にはキャップ６１０に保護される。
【００５８】
このことから、少なくともキャップ６１０が汚さないようにすれば、電源ケーブル６２と接続されていても接続されていなくても中継端子６２を上記の浮遊物等によって汚れることを回避できる。
【００５９】
したがって、本実施の形態の電解槽の変形例として、仕切り板８０を備える代わりに、または、仕切り板８０とともに、キャップ６１０を汚さないための部材が設けられるものを挙げることができる。このような部材について、図８〜図１１を参照して説明する。
【００６０】
図８は、第１の実施の形態の変形例におけるターミナルボックス６の斜視図であり、図９は、図８のターミナルボックス６の平面図であり、図１０は、図８のターミナルボックス６の正面図であり、図１１は、図８のターミナルボックス６の右側面図である。なお、図８〜図１１では、ターミナルボックス６中の４個のキャップ６１０の中で、２個（図９であれば左側の２個）が中継端子６１に被せられ、残りの２個（図９であれば右側の２個）がキャップ置き場６１ａに被せられている。
また、図１０の一点鎖線の円中では、図９中のＸ−Ｘ線に沿う断面が示されている。
【００６１】
ターミナルボックス６には、その上面に、各キャップ６１０に対応したキャップ置き場６１ａが形成されている。キャップ置き場６１ａにより、本発明の保持部が構成されている。キャップ置き場６１ａは、当該キャップ置き場６１ａへの汚水の飛散をより確実に回避するために、ターミナルボックス６において、電解槽の外縁部側、つまり、開口部３２に対して外側（より開口部３２に遠い側）に位置するように設置されることが好ましい。また、キャップ置き場６１ａは、たとえば、ターミナルボックス６の本体が成形される際に押し出し成形によって形成される。キャップ置き場６１ａは、ターミナルボックス６においてその周辺から突出したような形状を有している。
【００６２】
なお、キャップ置き場６１ａの外形は、キャップ６１０の内側の形状と略同様となっている。これにより、キャップ６１０は、中継端子６１に被せられなくとも、キャップ置き場６１ａに被せられることによってその内側表面の略全体をキャップ置き場６１ａに覆われることになる。したがって、キャップ６１０が、上記の浮遊物によって汚されることを回避できるため、当該キャップ６１０が電極ユニット５１の交換等の際に中継端子６１に被せられた際に中継端子６１が（キャップ６１０に付着する浮遊物等によって）汚される事態を回避できる。なお、キャップ置き場６１ａは、その外形がキャップ６１０の内側の形状と略同じでなくても、少なくともキャップ６１０の中の中継端子６１に接する面が下を向くようにキャップ６１０を保持できれば良い。
【００６３】
電解槽において、キャップ置き場６１ａは、キャップ６１０が汚されることを回避することによって中継端子６１が汚されることを回避するために、設置されている。なお、仕切り板８０を設け、さらにキャップ置き場６１ａを設けることにより、より確実に、中継端子６１が汚されることを回避できる。
【００６４】
［第２の実施の形態］
図１２および図１３に、本発明の第２の実施の形態の電解槽を示す。
【００６５】
なお、図１２は、電解槽およびブロワの平面図であり、図１３は、図１２におけるＸＩＩＩ−ＸＩＩＩ断面図である。
【００６６】
本実施の形態の電解槽では、第１の実施の形態の電解槽において仕切り板８０が備えられていた代わりに、上蓋４の下面に、水を供給するための散水管４５が備えられている。
【００６７】
具体的には、上蓋４の下面には支持台４３が取付けられ、支持台４３の下面には散水管４５がはめ込まれる部材である散水管支持具４４が取付けられている。そして、散水管支持具４４にはめ込まれることにより、散水管４５は、上蓋４の下面に取付けられる。散水管４５が上蓋４に取付けられることにより、電極ユニット５１の交換等の際、散水管４５を上蓋４とともに扱うことができるため、電解槽のメンテナンスが容易になる。
【００６８】
散水管４５は、その下面に複数の孔４５ａを形成されている。散水管４５は、外部から水を供給されることにより、孔４５ａを介して、電解槽内に水を放出する。散水管４５から水が放出されることによって、ターミナルユニット６近傍が浮遊物等によって汚された場合でも、ターミナルユニット６を洗浄できる。したがって、中継端子６１が汚れることを確実に回避できる。本実施の形態では、散水管４５によって、本発明の放水部材が構成されている。
【００６９】
なお、散水管４５に供給される水は、塩化ナトリウム水溶液またはカルシウム水溶液のように、ナトリウムイオンまたはカルシウムイオンを含む水であることが好ましい。これにより、電解槽内の汚水にこれらのイオンが供給され、電解反応におけるリン除去率を向上させることができる。
【００７０】
また、本実施の形態の電解槽が図７（Ｂ）を用いて説明されたような汚水処理システムにおいて電解槽４００として利用される場合、その後段に設けられる凝集沈殿槽５００の上澄み液が散水管４５に供給されても良い。これにより、汚水処理システム内で、水の再利用が可能となる。
【００７１】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態に開示された技術は、可能な限り組み合わせることが意図される。
【図面の簡単な説明】
【００７２】
【図１】本発明の第１の実施の形態である電解装置を構成する電解槽の外観の平面図である。
【図２】図１の電解槽の上蓋を取外した状態における平面図である。
【図３】図１の電解槽の上蓋および電極ユニットを取外した状態における平面図である。
【図４】図１におけるＩＶ−ＩＶ断面図である。
【図５】図１の電解槽の上蓋を取外した状態における斜視図である。
【図６】図１の電解槽のターミナルボックス近傍の拡大図である。
【図７】（Ａ）は、電解槽の制御ブロック図であり、（Ｂ）は、図１の電解槽を含む汚水処理システムの構成を模式的に示す図である。
【図８】図１の電解槽の変形例におけるターミナルボックスの斜視図である。
【図９】図８のターミナルボックスの平面図である。
【図１０】図８のターミナルボックスの正面図である。
【図１１】図８のターミナルボックスの右側面図である。
【図１２】本発明の第２の実施の形態の電解槽およびブロワの平面図である。
【図１３】図１２におけるＸＩＩＩ−ＸＩＩＩ断面図である。
【図１４】従来の汚水処理システムに用いられる電解装置を示す図である。
【符号の説明】
【００７３】
１  タンク本体、３  中蓋、４  上蓋、６  ターミナルボックス、１１  汚水流出口、１２，１３  傾斜面部、１４，１５  棚部、１６  山型部分、１７  汚泥排出口、２５  散気管、３２  開口部、４３  支持台、４４  散水管支持具、４５  散水管、５１  電極ユニット、５１ａ  電極板、６１  中継端子、６１ａ  キャップ置き場、６２  電源ケーブル、８０  仕切り板、８１  切り欠き、８２  水抜き穴、９０  ブロワ、２００  活性汚泥槽、３００  中間流量調整槽、４００  電解槽、５００  凝集沈殿槽、６１０  キャップ。
【図１】
2007152148.tif 000003
【図２】
2007152148.tif 000004
【図３】
2007152148.tif 000005
【図４】
2007152148.tif 000006
【図５】
2007152148.tif 000007
【図６】
2007152148.tif 000008
【図７】
2007152148.tif 000009
【図８】
2007152148.tif 000010
【図９】
2007152148.tif 000011
【図１０】
2007152148.tif 000012
【図１１】
2007152148.tif 000013
【図１２】
2007152148.tif 000014
【図１３】
2007152148.tif 000015
【図１４】
2007152148.tif 000016